(57)【要約】【課題】  レーダー装置の検知エリアを適切に設定して障害物を確実に検知できるようにする。【解決手段】  ＡＣＣシステムは、自車前方の物体を検知するレーダー装置１５と、自車の走行軌跡を推定する軌跡推定手段Ｍ１と、自車の走行軌跡に基づいて自車前方に所定の検知エリアを設定する検知エリア設定手段Ｍ２と、レーダー装置１５の検知結果および検知エリアに基づいて先行車を抽出する障害物抽出手段Ｍ３と、乗員の加減速意思を検出する加減速意思検出手段Ｍ４とを備える。加減速意思検出手段Ｍ４により乗員の減速意思が検出された場合に検知エリア設定手段Ｍ２が障害物の検知エリアを拡大するので、自車の前方に割り込む割り込み車両等を確実に検知し、その割り込み車両と接触しそうになるのを防止してドライバーの違和感を解消するとともに、ＡＣＣシステムの作動を確実なものにすることができる。【選択図】        図１
2005100336.tif 000002
【特許請求の範囲】
【請求項１】
自車前方の物体を検知する物体検知手段（１５）と、
自車の走行軌跡を推定する軌跡推定手段（Ｍ１）と、
自車の走行軌跡に基づいて自車前方に所定の検知エリアを設定する検知エリア設定手段（Ｍ２）と、
物体検知手段（１５）の検知結果および検知エリア設定手段（Ｍ２）で設定した検知エリアに基づいて障害物を抽出する障害物抽出手段（Ｍ３）と、
を備えた車両用物体検知装置において、
乗員の加速意思あるいは減速意思を検出する加減速意思検出手段（Ｍ４）を備え、
検知エリア設定手段（Ｍ２）は、加減速意思検出手段（Ｍ４）の検出結果に基づいて前記所定の検知エリアを変更することを特徴とする車両用物体検知装置。
【請求項２】
検知エリア設定手段（Ｍ２）は、加減速意思検出手段（Ｍ４）により乗員の減速意思が検出された場合に前記所定の検知エリアを拡大することを特徴とする、請求項１に記載の車両用物体検知装置。
【請求項３】
検知エリア設定手段（Ｍ２）は、加減速意思検出手段（Ｍ４）により乗員の加速意思が検出された場合に前記所定の検知エリアを縮小することを特徴とする、請求項１に記載の車両用物体検知装置。
【請求項４】
加減速意思検出手段（Ｍ４）は、乗員によるブレーキペダルの操作、乗員によるアクセルペダルの操作、乗員によるスイッチの操作、乗員の音声の少なくとも一つに基づいて乗員の加減速意思を検出することを特徴とする、請求項１〜請求項３の何れか１項に記載の車両用物体検知装置。
【請求項５】
自車前方の物体を検知する物体検知手段（１５）と、
自車の走行軌跡を推定する軌跡推定手段（Ｍ１）と、
自車の走行軌跡に基づいて自車前方に所定の検知エリアを設定する検知エリア設定手段（Ｍ２）と、
物体検知手段（１５）の検知結果および検知エリア設定手段（Ｍ２）で設定した検知エリアに基づいて障害物を抽出する障害物抽出手段（Ｍ３）と、
を備えた車両用物体検知装置において、
車速を検出する車速検出手段（１４）と、車速検出手段（１４）で検出した車速から加減速度を検出する加減速度検出手段（Ｍ７）とを備え、
検知エリア設定手段（Ｍ２）は、加減速度検出手段（Ｍ７）の検出結果に基づいて前記所定の検知エリアを変更することを特徴とする車両用物体検知装置。
【請求項６】
検知エリア設定手段（Ｍ２）は、加減速度検出手段（Ｍ７）により減速度が検出された場合に前記所定の検知エリアを拡大することを特徴とする、請求項５に記載の車両用物体検知装置。
【請求項７】
検知エリア設定手段（Ｍ２）は、加減速度検出手段（Ｍ７）により加速度が検出された場合に前記所定の検知エリアを縮小することを特徴とする、請求項５に記載の車両用物体検知装置。
【請求項８】
請求項１〜請求項７の何れか１項に記載の車両用物体検知装置と、
障害物抽出手段（Ｍ３）が抽出した先行車に自車を追従走行させる車両制御手段（Ｍ６）と、
を備え、前記検知エリア設定手段（Ｍ２）は、自車から前記先行車までの検知エリアと、前記先行車から物体検知手段（１５）の最大検知可能距離までの検知エリアとの少なくとも一方を変更することを特徴とする追従走行制御装置。
【請求項９】
請求項１〜請求項７の何れか１項に記載の車両用物体検知装置と、
障害物抽出手段（Ｍ３）が抽出した先行車に自車を追従走行させる車両制御手段（Ｍ６）と、
を備え、前記検知エリア設定手段（Ｍ２）は、自車の走行軌跡の左側および右側の検知エリアをそれぞれ別個に設定可能であり、かつ前記左側および右側の検知エリアのうち、障害物抽出手段（Ｍ３）が抽出した先行車の進行方向の検知エリアのみを変更することを特徴とする追従走行制御装置。
【発明の詳細な説明】
【技術分野】
【０００１】
本発明は、車両に搭載した物体検知手段で前方の物体を検知する車両用物体検知装置と、その車両用物体検知装置を用いた追従走行制御装置とに関する。
【背景技術】
【０００２】
レーダー装置で自車から先行車までの車間距離を検出し、車間距離が所定値以下になったときにドライバーに警報を発して追突を防止する車間距離検知・警報装置において、自車の車速の増減に応じてレーダー装置の検知エリアを変更するものが、下記特許文献１により公知である。
【特許文献１】特開平５−１７４２９６号公報
【発明の開示】
【発明が解決しようとする課題】
【０００３】
ところで、上記従来のものは、車速に応じてレーダー装置の検知エリアを変更しているが、車速が同じであってもドライバーが車間距離の減少に気づいて減速意思を持った場合と、そうでない場合とでは追突の可能性に差があるため、ドライバーの意思を考慮せずに車速だけに応じて検知エリアを変更するのは必ずしも適切ではない。
【０００４】
またレーダー装置で先行車を検知するために、通常は自車の走行軌跡に沿う車線幅程度の検知エリアを設定しているが、前方に交差点等が存在する場合には、ドライバーの注意は自車の走行軌跡に側方から割り込んで来る割り込み車両に対しても向けられており、車線幅程度の狭い検知エリアに基づく先行車の検知ではドライバーの意識との間にギャップが生じる可能性がある。このような不具合を解消するために、検知エリアを無闇に広くすることは、対向車線の車両を誤検知したり、物体検知手段のデータ処理負荷が増加したりするために好ましくない。
【０００５】
本発明は前述の事情に鑑みてなされたもので、物体検知手段の検知エリアを適切に設定して障害物を確実に検知できるようにすることを目的とする。
【課題を解決するための手段】
【０００６】
上記目的を達成するために、請求項１に記載された発明によれば、自車前方の物体を検知する物体検知手段と、自車の走行軌跡を推定する軌跡推定手段と、自車の走行軌跡に基づいて自車前方に所定の検知エリアを設定する検知エリア設定手段と、物体検知手段の検知結果および検知エリア設定手段で設定した検知エリアに基づいて障害物を抽出する障害物抽出手段とを備えた車両用物体検知装置において、乗員の加速意思あるいは減速意思を検出する加減速意思検出手段を備え、検知エリア設定手段は、加減速意思検出手段の検出結果に基づいて前記所定の検知エリアを変更することを特徴とする車両用物体検知装置が提案される。
【０００７】
また請求項２に記載された発明によれば、請求項１の構成に加えて、検知エリア設定手段は、加減速意思検出手段により乗員の減速意思が検出された場合に前記所定の検知エリアを拡大することを特徴とする車両用物体検知装置が提案される。
【０００８】
また請求項３に記載された発明によれば、請求項１の構成に加えて、検知エリア設定手段は、加減速意思検出手段により乗員の加速意思が検出された場合に前記所定の検知エリアを縮小することを特徴とする車両用物体検知装置が提案される。
【０００９】
また請求項４に記載された発明によれば、請求項１〜請求項３の何れか１項の構成に加えて、加減速意思検出手段は、乗員によるブレーキペダルの操作、乗員によるアクセルペダルの操作、乗員によるスイッチの操作、乗員の音声の少なくとも一つに基づいて乗員の加減速意思を検出することを特徴とする車両用物体検知装置が提案される。
【００１０】
また請求項５に記載された発明によれば、自車前方の物体を検知する物体検知手段と、自車の走行軌跡を推定する軌跡推定手段と、自車の走行軌跡に基づいて自車前方に所定の検知エリアを設定する検知エリア設定手段と、物体検知手段の検知結果および検知エリア設定手段で設定した検知エリアに基づいて障害物を抽出する障害物抽出手段とを備えた車両用物体検知装置において、車速を検出する車速検出手段と、車速検出手段で検出した車速から加減速度を検出する加減速度検出手段とを備え、検知エリア設定手段は、加減速度検出手段の検出結果に基づいて前記所定の検知エリアを変更することを特徴とする車両用物体検知装置が提案される。
【００１１】
また請求項６に記載された発明によれば、請求項５の構成に加えて、検知エリア設定手段は、加減速度検出手段により減速度が検出された場合に前記所定の検知エリアを拡大することを特徴とする車両用物体検知装置が提案される。
【００１２】
また請求項７に記載された発明によれば、請求項５の構成に加えて、検知エリア設定手段は、加減速度検出手段により加速度が検出された場合に前記所定の検知エリアを縮小することを特徴とする車両用物体検知装置が提案される。
【００１３】
また請求項８に記載された発明によれば、請求項１〜請求項７の何れか１項に記載の車両用物体検知装置と、障害物抽出手段が抽出した先行車に自車を追従走行させる車両制御手段とを備え、前記検知エリア設定手段は、自車から前記先行車までの検知エリアと、前記先行車から物体検知手段の最大検知可能距離までの検知エリアとの少なくとも一方を変更することを特徴とする追従走行制御装置が提案される。
【００１４】
また請求項９に記載された発明によれば、請求項１〜請求項７の何れか１項に記載の車両用物体検知装置と、障害物抽出手段が抽出した先行車に自車を追従走行させる車両制御手段とを備え、前記検知エリア設定手段は、自車の走行軌跡の左側および右側の検知エリアをそれぞれ別個に設定可能であり、かつ前記左側および右側の検知エリアのうち、障害物抽出手段が抽出した先行車の進行方向の検知エリアのみを変更することを特徴とする追従走行制御装置が提案される。
【００１５】
尚、実施例のレーダー装置１５は本発明の物体検知手段に対応する。
【発明の効果】
【００１６】
請求項１の構成によれば、検知エリア設定手段が自車の走行軌跡に基づいて自車前方に設定する物体の検知エリアを、加減速意思検出手段が検出した乗員の加減速意思に基づいて変更するので、乗員の加減速意思に応じた適切な検知エリアを設定して乗員の違和感を解消することができる。
【００１７】
請求項２の構成によれば、加減速意思検出手段により乗員の減速意思が検出された場合に検知エリア設定手段が検知エリアを拡大するので、乗員が自車の前方の状況に払う注意量の増加に応じて検知エリアを拡大してより多くの情報を得ることができる。
【００１８】
請求項３の構成によれば、加減速意思検出手段により乗員の加速意思が検出された場合に検知エリア設定手段が検知エリアを縮小するので、乗員が検知不要と判断した制御対象を速やかに排除して不必要な車両制御が行われるのを防止し、乗員の違和感を解消することができる。
【００１９】
請求項４の構成によれば、ブレーキペダルの操作、アクセルペダルの操作、スイッチの操作あるいは乗員の音声に基づいて加減速意思検出手段が乗員の加減速意思を検出するので、その検出を容易かつ確実に行うことができる。
【００２０】
請求項５の構成によれば、検知エリア設定手段が自車の走行軌跡に基づいて自車前方に設定する物体の検知エリアを、加減速度検出手段が検出した自車の加減速度に基づいて変更するので、障害物との接触の可能性に応じた適切な検知エリアを設定して乗員の違和感を解消することができる。
【００２１】
請求項６の構成によれば、加減速度検出手段により減速度が検出された場合に検知エリア設定手段が検知エリアを拡大するので、障害物との接触の可能性の増加に応じて検知エリアを拡大してより多くの情報を得ることができる。
【００２２】
請求項７の構成によれば、加減速度検出手段により加速度が検出された場合に検知エリア設定手段が検知エリアを縮小するので、障害物との接触の可能性の減少に応じて検知エリアを縮小して不必要な車両制御が行われるのを防止し、乗員の違和感を解消することができる。
【００２３】
請求項８の構成によれば、障害物抽出手段が抽出した先行車に対して車両制御手段が自車を追従走行させる際に、検知エリア設定手段が自車から先行車までの検知エリアと、前記先行車から物体検知手段の最大検知可能距離までの検知エリアとの少なくとも一方を変更するので、検知エリアを必要最小限に設定して物体検知手段の負荷を軽減しながら、所望の検知エリアの物体の情報をより多く収集して安定した追従走行を可能にすることができる。
【００２４】
請求項９の構成によれば、障害物抽出手段が抽出した先行車に対して車両制御手段が自車を追従走行させる際に、検知エリア設定手段が自車の走行軌跡の左側および右側の検知エリアのうち、障害物抽出手段が抽出した先行車の進行方向の検知エリアのみを変更するので、先行車の進行方向と反対側の検知エリアは変更されることがなく、先行車が左折した場合の右側の対向車の検知や、先行車が右折した場合の左側の路側に駐車された車両の検知を通常どおり行うことができる。
【発明を実施するための最良の形態】
【００２５】
以下、本発明の実施の形態を、添付の図面に示した本発明の実施例に基づいて説明する。
【００２６】
図１〜図５は本発明の第１実施例を示すもので、図１はＡＣＣシステムの制御系のブロック図、図２は検知エリアの説明図、図３および図４はドライバーが減速意思を持つ場合の作用を説明するフローチャート、図５はドライバーが加速意思を持つ場合の作用を説明するフローチャートである。
【００２７】
図１に示すように、先行車が存在するときには予め設定した車間距離を保持して前記先行車に追従走行し、先行車が存在しないときには予め設定した車速で定速走行するＡＣＣ（アダプティブ・クルーズ・コントロール）システムは、軌跡推定手段Ｍ１と、検知エリア設定手段Ｍ２と、障害物抽出手段Ｍ３と、加減速意思検出手段Ｍ４と、制御目標値決定手段Ｍ５と、車両制御手段Ｍ６とを備える。軌跡推定手段Ｍ１にはナビゲーションシステム１１、ヨーレート検出手段１２、操舵角検出手段１３および車速検出手段１４が接続され、障害物抽出手段Ｍ３にはレーダー装置１５が接続され、加減速意思検出手段Ｍ４にはブレーキペダル操作検出手段１６、アクセルペダル操作検出手段１７、スイッチ操作検出手段１８および音声認識手段１９が接続され、車両制御手段Ｍ６には加速アクチュエータ２０、減速アクチュエータ２１およびディスプレイ２２が接続される。
【００２８】
軌跡推定手段Ｍ１は、ナビゲーションシステム１１に記憶された道路情報と、ヨーレート検出手段１２で検出したヨーレートと、操舵角検出手段１３で検出した操舵角と、車速検出手段１４で検出した車速とに基づいて自車の将来の走行軌跡を推定する。
【００２９】
加減速意思検出手段Ｍ４は、ドライバーが自車を加速する意思あるいは減速する意思を有しているか否かを判断する。即ち、ブレーキペダル操作検出手段１６がブレーキペダルの踏み込み操作を検出すれば減速意思を有すると判断し、アクセルペダル操作検出手段１７がアクセルペダルの踏み込み操作を検出すれば加速意思を有すると判断し、アクセルペダルの戻し操作を検出すれば減速意思を有すると判断する。またスイッチ操作検出手段１８がＡＣＣシステムの定速走行の設定車速を指示する車速設定スイッチや前記設定車速を増減するリジュームスイッチの操作を検出すれば減速意思や加速意思を有すると判断する。また音声認識手段１９は乗員の会話の内容やドライバーの独り言の内容から減速意思や加速意思の有無を判断する。
【００３０】
図２（Ａ）に示すように、検知エリア設定手段Ｍ２は、軌跡推定手段Ｍ１で推定した自車の将来の走行軌跡を中心線として、その中心線に沿う所定幅の検知エリアを設定する。通常、検知エリアの幅は車線幅と同等に設定されるが、加減速意思検出手段Ｍ４がドライバーの減速意思を検出すると、図２（Ｂ）に示すように検知エリアの幅を増加させる。増加した検知エリアの幅は任意であり、例えば車線幅の整数倍とされる。
【００３１】
レーダー装置１５はレーザー光やミリ波等の電磁波を送信し、その電磁波が物体から反射された反射波を受信することで、物体の方向、物体までの距離、物体との相対速度等を検知するもので、障害物抽出手段Ｍ３はレーダー装置１５で検知した物体のうちから検知エリア内に存在する物体を制御対象となる先行車（障害物）として抽出する。
【００３２】
制御目標値決定手段Ｍ５は、障害物抽出手段Ｍ３で抽出した先行車を制御対象とし、それに自車を追従走行させるためのパラメータである目標車速、目標加減速度、目標車間距離等を決定するとともに、加減速意思検出手段Ｍ４で検出したドライバーの加減速意思に応じて前記目標車速、目標加減速度、目標車間距離等を補正する。
【００３３】
そして車両制御手段Ｍ６は、制御目標値決定手段Ｍ５で決定した制御目標値に基づいて加速アクチュエータ２０や減速アクチュエータ２１を駆動し、スロットルバルブを開閉したりブレーキ装置を作動させたりして追従走行制御や定速走行制御を実行するとともに、ディスプレイ２２に現在の車両の制御状態を表示してドライバーに報知する。
【００３４】
上記作用を図３〜図５のフローチャートに基づいて更に説明する。
【００３５】
図３および図４のフローチャートは加減速意思検出手段Ｍ４がドライバーの減速意思を検出した場合のもので、先ずステップＳ１でレーダー装置１５により物体を検知し、ステップＳ２で軌跡推定手段Ｍ１により自車の走行軌跡を推定し、ステップＳ３で検知エリア設定手段Ｍ２により第１検知エリア、つまり推定走行軌跡に沿う車線幅相当の検知エリアを設定する。続くステップＳ４で第１検知エリア内に第１障害物が存在すれば、ステップＳ５で障害物抽出手段Ｍ３が第１障害物を制御対象として設定し、ステップＳ６で車両制御手段Ｍ６が第１障害物に対して自車が予め設定された車間距離を維持して追従走行するように車速を制御する。一方、前記ステップＳ４で第１検知エリア内に第１障害物が存在しなければ、ステップＳ７で車両制御手段Ｍ６が予め設定された車速で定速走行するように車速を制御する。
【００３６】
続くステップＳ８で加減速意思検出手段Ｍ４がドライバーの減速意思を検出すると、ステップＳ９で検知エリア設定手段Ｍ２が第２検知エリアを設定する。図２で説明したように、第２検知エリアは側方から割り込む割り込み車両等を検知できるように、前記第１検知エリアよりも広い幅を持つように設定される。続くステップＳ１０で第２検知エアリアに第２障害物が存在し、かつステップＳ１１で第２障害物が自車の走行軌跡に近い位置にあるか、あるいは前記ステップＳ１１で第２障害物が自車の走行軌跡から遠い位置にあっても、ステップＳ１２で第２障害物が自車の走行軌跡に向かって接近していれば、以下のステップＳ１３〜Ｓ１７で第２障害物との接触を回避すべく、その緊急度に応じて車両制御手段Ｍ６による車両制御の内容を変更する。
【００３７】
即ち、ステップＳ１３で自車が加速制御中であれば、ステップＳ１５で自車の加速制御を中止するか、加速ゲインを小さくするか、追従走行制御の設定車間距離を増加させる。またステップＳ１４で自車が定速走行制御中であれば、ステップＳ１６で自車の加速開始タイミングを遅延するか、追従走行制御の設定車間距離を増加させるか、定速走行制御の設定車速を減少させる。またステップＳ１４で自車が減速制御中であれば、ステップＳ１７で追従走行制御の設定車間距離を増加させるか、定速走行制御の設定車速を減少させる。
【００３８】
以上のように、ドライバーが自車の前方の状況に不安を感じて減速意思を持つと障害物を検知する検知エリアが拡大されるので、自車の前方に割り込む割り込み車両等を確実に検知し、その割り込み車両と接触しそうになるのを防止してドライバーの違和感を解消するとともに、ＡＣＣシステムの作動を確実なものにすることができる。しかもドライバーの減速意思の検出をブレーキペダルの操作、アクセルペダルの操作、スイッチの操作あるいは乗員の音声に基づいて行うので、その検出を容易かつ確実に行うことができる。
【００３９】
図５のフローチャートは加減速意思検出手段Ｍ４がドライバーの加速意思を検出した場合のもので、先ずステップＳ２１でレーダー装置１５により物体を検知し、ステップＳ２２で軌跡推定手段Ｍ１により自車の走行軌跡を推定し、ステップＳ２３で検知エリア設定手段Ｍ２により第１検知エリア、つまり推定走行軌跡に沿う通常の車線幅相当の検知エリアを設定する。続くステップＳ２４で第１検知エリア内に第１障害物が存在すれば、ステップＳ２５で障害物抽出手段Ｍ３が第１障害物を制御対象として抽出し、ステップＳ２６で車両制御手段Ｍ６が第１障害物に対して自車が予め設定された車間距離を維持して追従走行するように車速を制御する。一方、前記ステップＳ２４で第１検知エリア内に第１障害物が存在しなければ、ステップＳ２７で車両制御手段Ｍ６が予め設定された車速で定速走行するように車速を制御する。
【００４０】
続くステップＳ２８で加減速意思検出手段Ｍ４がドライバーの加速意思を検出すると、ステップＳ２９で検知エリア設定手段Ｍ２が第１検知エリアよりも狭い第２検知エリアを設定する。そしてステップＳ３０で新たな第２検知エリアに第１障害物が存在しない場合と、前記ステップＳ３０で第２検知エリアに第１障害物が存在し、かつステップＳ３１で第１障害物の横方向の相対速度が所定値以上である場合、つまり第１障害物が自車から横方向に高速で離れて行く場合とには、ステップＳ３２で第１障害物に対する追従走行制御を解除して定速走行制御を継続する。そしてステップＳ３３で自車の減速制御を中止するか、減速ゲインを小さくするか、追従走行制御の設定車間距離を減少させる。
【００４１】
尚、前記ステップＳ３１で第１障害物の横方向の相対速度が所定値未満である場合には、前記ステップＳ２６による追従走行制御がそのまま継続される。
【００４２】
以上のように、ドライバーが自車の前方の安全を確認して加速意思を持つと障害物を検知する検知エリアが縮小されるので、左折や右折をして自車の走行軌跡から遠ざかる先行車を速やかに制御対象から除外し、不要な追従走行制御が行われてドライバーが違和感を覚えるのを防止することができる。しかもドライバーの加速意思の検出をブレーキペダルの操作、アクセルペダルの操作、スイッチの操作あるいは乗員の音声に基づいて行うので、その検出を容易かつ確実に行うことができる。
【００４３】
次に、図６に基づいて本発明の第２実施例を説明する。
【００４４】
第２実施例は、第１実施例の加減速意思検出手段Ｍ４に代えて加減速度検出手段Ｍ７を備えており、加減速度検出手段Ｍ７は車速検出手段１４から入力された車速を時間微分して車両の加減速度を検出する。
【００４５】
しかして、第１実施例ではドライバーの減速意思や加速意思に基づいて検知エリアの拡大・縮小やＡＣＣシステムの制御内容の変更を行っているが、第２実施例では車両の実際の加速度や減速度に基づいて検知エリアの拡大・縮小やＡＣＣシステムの制御内容の変更を行っている。加減速度検出手段Ｍ７が検出する車両の加減速度はドライバーの加減速意思を反映する以外に、ドライバーの意思によらない車両制御手段Ｍ６による自動的な加減速をも反映するため、ＡＣＣシステムの一層的確な作動を可能にすることができる。
【００４６】
以上、本発明の実施例を説明したが、本発明はその要旨を逸脱しない範囲で種々の設計変更を行うことが可能である。
【００４７】
例えば、実施例ではドライバーの減速意思が検出された場合、あるいは車両の減速が検出された場合に検知エリアを一律に拡大しているが、検知エリアを自車から先行車までの第１エリアと、先行車からレーダー装置１５の最大検知可能距離までの第２エリアとに分け、その少なくとも一方だけを拡大することができる。第１、第２エリアの何れを拡大するかは種々の条件により設定可能である。
【００４８】
幾つかの例を挙げると、割り込み車両が存在する可能性が高い交差点や分岐点を含むエリアを優先的に拡大しても良く、また自車と先行車との車間距離が短いために第１エリアに他車が割り込む可能性が低い場合には第２エリアだけを拡大しても良く、自車と先行車との車間距離が長いために第２エリアに他車が割り込んでも危険がない場合には第１エリアだけを拡大しても良い。
【００４９】
このように、検知エリアの一部だけを拡大することで、対向車線の車両を先行車として誤検知したり、レーダー装置１５のデータ処理負荷が増加したりする問題を最小限に抑えることができる。
【００５０】
また実施例ではドライバーの加速意思が検出された場合、あるいは車両の加速が検出された場合に検知エリアを一律に縮小しているが、検知エリアを自車の走行軌跡の左側と右側とに分け、左右の検知エリアのうち先行車の進行方向の検知エリアだけを縮小することができる。これにより、先行車が左折して左側の検知エリアが縮小されても対向車を検知する右側の検知エリアは変更されず、また先行車が右折して右側の検知エリアが縮小されても路側に駐車中の車両を検知する左側の検知エリアは変更されないため、それらの対向車や駐車中の車両を通常どおりに検知することができる。
【００５１】
また実施例ではＡＣＣシステムについて説明したが、本発明はＡＣＣシステム以外の任意の用途の車両用物体検知装置や追従走行制御装置に対して適用することができる。
【図面の簡単な説明】
【００５２】
【図１】第１実施例に係るＡＣＣシステムの制御系のブロック図
【図２】検知エリアの説明図
【図３】ドライバーが減速意思を持つ場合の作用を説明するフローチャートの第１分図
【図４】ドライバーが減速意思を持つ場合の作用を説明するフローチャートの第２分図
【図５】ドライバーが加速意思を持つ場合の作用を説明するフローチャート
【図６】第２実施例に係るＡＣＣシステムの制御系のブロック図
【符号の説明】
【００５３】
Ｍ１        軌跡推定手段
Ｍ２        検知エリア設定手段
Ｍ３        障害物抽出手段
Ｍ４        加減速意思検出手段
Ｍ６        車両制御手段
Ｍ７        加減速度検出手段
１４        車速検出手段
１５        レーダー装置（物体検知手段）
【図１】
2005100336.tif 000003
【図２】
2005100336.tif 000004
【図３】
2005100336.tif 000005
【図４】
2005100336.tif 000006
【図５】
2005100336.tif 000007
【図６】
2005100336.tif 000008